(57)【要約】      （修正有）【課題】ソケットまたはスイッチの位置を識別しやすくするソケット／スイッチパネル照明装置を提供する。【解決手段】少なくとも１つのスルーホール１１を設け、スルーホールに隣接するように光透過性部材１０を設置するパネル１と、パネルまたは光透過性部材の下端に設置し、複数の発光体２２を設置すると共に光透過性部材に対応し、少なくとも一端には導電性構造２３を設置する基板２と、パネル及び光透過性部材の下端に設置すると共に基板に被装し、少なくとも１つの締め穴３１を設けていると共にパネルのスルーホールに対応する固定台座３と、を備えている。導電性構造はバネ、プランジャー、弾性片、導線、または外端部にＹ型端子を設けている導線である。基板には少なくとも１つの取付穴２１を設けている。固定台座には少なくとも１つの貫通孔３２を設けている。これにより、基板の発光体を利用してパネルの光透過性部材を発光させている。【選択図】図１
0003230619.tif 000002
【実用新案登録請求の範囲】
【請求項１】
少なくとも１つのスルーホールを設け、少なくとも一側または前記少なくとも１つのスルーホールに隣接するように光透過性部材を設置するパネルと、
前記パネルまたは前記光透過性部材の下端に設置し、複数の発光体を設置すると共に前記光透過性部材に対応し、少なくとも一端には導電性構造を設置する基板と、
前記パネル及び前記光透過性部材の下端に設置すると共に前記基板に被装し、少なくとも１つの締め穴を設けていると共に前記パネルの前記スルーホールに対応する固定台座と、を備え、
前記基板の前記発光体を利用して前記パネルの前記光透過性部材を発光させられることを特徴とする、
ソケット／スイッチパネル照明装置。
【請求項２】
前記基板の前記導電性構造はバネ、プランジャー、弾性片、導線、または外端部にＹ型端子を設けている前記導線であることを特徴とする請求項１に記載のソケット／スイッチパネル照明装置。
【請求項３】
前記固定台座には少なくとも１つの貫通孔を設けていると共に前記導電性構造の前記バネ、前記プランジャー、前記弾性片、または前記導線を挿着させていることを特徴とする請求項２に記載のソケット／スイッチパネル照明装置。
【請求項４】
前記基板には少なくとも１つの取付穴を設けていることを特徴とする請求項２に記載のソケット／スイッチパネル照明装置。
【請求項５】
前記パネルの下端には少なくとも１つのソケットまたは少なくとも１つのスイッチを設け、且つ前記パネルの前記スルーホール及び前記固定台座の前記締め穴に対応し、前記ソケットまたは前記スイッチの少なくとも一側或いは下方には少なくとも１つの下部導電性構造を設置していると共に前記基板の前記導電性構造に電気的に接続していることを特徴とする請求項２に記載のソケット／スイッチパネル照明装置。
【請求項６】
前記パネルの下端には少なくとも１つのソケットまたは少なくとも１つのスイッチを設け、且つ前記パネルの前記スルーホール、前記固定台座の前記締め穴、及び前記基板の前記取付穴に対応し、前記ソケットまたは前記スイッチの少なくとも一側または下方には少なくとも１つの下部導電性構造を設置していると共に前記基板の前記導電性構造に電気的に接続していることを特徴とする請求項４に記載のソケット／スイッチパネル照明装置。
【請求項７】
前記ソケットには少なくとも１つのＵＳＢまたはＷｉ−Ｆｉ（登録商標）を設置しているか、或いは少なくとも１つのＵＳＢ及びＷｉ−Ｆｉを設置していることを特徴とする請求項５に記載のソケット／スイッチパネル照明装置。
【請求項８】
前記ソケットには少なくとも１つのＵＳＢまたはＷｉ−Ｆｉを設置しているか、或いは少なくとも１つのＵＳＢ及びＷｉ−Ｆｉを設置していることを特徴とする請求項６に記載のソケット／スイッチパネル照明装置。
【請求項９】
前記ソケットまたは前記スイッチの前記下部導電性構造は弾性片または少なくとも１つのネジであるか、或いは前記弾性片及び前記少なくとも１つのネジまたは少なくとも１つの導電片であることを特徴とする請求項５に記載のソケット／スイッチパネル照明装置。
【請求項１０】
前記ソケットまたは前記スイッチの前記下部導電性構造は弾性片または少なくとも１つのネジであるか、或いは前記弾性片及び前記少なくとも１つのネジまたは少なくとも１つの導電片であることを特徴とする請求項６に記載のソケット／スイッチパネル照明装置。
【請求項１１】
前記下部導電性構造の前記弾性片は前記導電性構造の前記バネ、前記プランジャー、前記弾性片、または前記導線に電気的に接続していることを特徴とする請求項９に記載のソケット／スイッチパネル照明装置。
【請求項１２】
前記下部導電性構造の前記弾性片は前記導電性構造の前記バネ、前記プランジャー、前記弾性片、または前記導線に電気的に接続していることを特徴とする請求項１０に記載のソケット／スイッチパネル照明装置。
【請求項１３】
前記下部導電性構造の前記導電片は前記導電性構造の前記バネ、前記プランジャー、前記弾性片、または前記導線に電気的に接続していることを特徴とする請求項９に記載のソケット／スイッチパネル照明装置。
【請求項１４】
前記下部導電性構造の前記導電片は前記導電性構造の前記バネ、前記プランジャー、前記弾性片、または前記導線に電気的に接続していることを特徴とする請求項１０に記載のソケット／スイッチパネル照明装置。
【請求項１５】
前記下部導電性構造の前記ネジは前記導電性構造の前記導線または前記導線の外端部の前記Ｙ型端子に電気的に接続していることを特徴とする請求項９に記載のソケット／スイッチパネル照明装置。
【請求項１６】
前記下部導電性構造の前記ネジは前記導電性構造の前記導線または前記導線の外端部の前記Ｙ型端子に電気的に接続していることを特徴とする請求項１０に記載のソケット／スイッチパネル照明装置。  
【考案の詳細な説明】
【技術分野】
【０００１】
本考案は、発光装置に関し、より詳しくは、ソケット／スイッチパネル照明装置（ｉｌｌｕｍｉｎａｔｉｎｇ  ｄｅｖｉｃｅ  ｏｆ  ｈｏｕｓｉｎｇ  ｏｆ  ｓｏｃｋｅｔ／ｓｗｉｔｃｈ）に関する。
【背景技術】
【０００２】
従来の特許文献には、例えば、下記特許文献１の「ソケット」という記載がある。しかしながら、前記ソケットはどれも前記ソケット全体を発光させる構造がなく、使用者が壁にある差込口を有するソケット位置をはっきりと正確に識別するように指示することができず、使用時に前記プラグを間違った差込口の穴に差し込むことがあり、日中や夜間に使用者が屋内の照明を点けなければその使用目的を達成できなかった。このため、他人の睡眠を邪魔することにもなり、使用が極めて不便であった。
また、フェイスプレートはサイド接続ストリップを有する挟持絶縁板によりソケット両側にネジで接合しているが、前記挟持絶縁板は断裂しやすく、且つ傍にあるサイド接続ストリップと前記ソケットの前記ネジとの接触力が不足し、接触不良や電気抵抗が過大となって高熱を発生することがあり、実用性が大きく削がれ、業者及び消費者が解決を強く求めている課題となっていた。
【先行技術文献】
【特許文献】
【０００３】
【特許文献１】米国特許出願第９８７１３２４Ｂ２号明細書
【考案の概要】
【考案が解決しようとする課題】
【０００４】
そこで、本考案者は上記の欠点が改善可能と考え、鋭意検討を重ねた結果、合理的設計で上記の課題を効果的に改善する本考案の提案に至った。
【０００５】
本考案はこうした状況に鑑みてなされたものであり、その目的は、パネルに光透過性部材を設置すると共にスルーホール、を有し、且つ下端に基板及び固定台座を順に設置し、基板に発光体を設置すると共に少なくとも一端に導電性構造を有することで、従来技術の課題を克服する、ソケット／スイッチパネル照明装置を提供することにある。
【０００６】
また、本考案の他の目的は、基板の発光体によりパネルの光透過性部材を発光させ、基板の少なくとも一端の導電性構造によりソケットまたはスイッチの下部導電性構造に直接電気的に接続する、ソケット／スイッチパネル照明装置を提供することにある。
【０００７】
また、本考案のさらなる他の目的は、使用を便利にし、多用途でソケットまたはスイッチの位置を識別し指示しやすくする、ソケット／スイッチパネル照明装置を提供することにある。
【０００８】
本考案が解決する問題は、特許文献１のような先行技術に基づく場合、前記ソケットは前記ソケット全体が発光しない構造となっており、前記ソケットのフェイスプレートはサイド接続ストリップを有する挟持絶縁板によりソケットの両側にあるネジに接合しており、前記挟持絶縁板が断裂しやすく、サイド接続ストリップと前記ソケットの前記ネジとの接触力が不足し、接触不良や電気抵抗が過大となって高熱を発生し、実用性が大幅に削がれるという問題である。
【課題を解決するための手段】
【０００９】
上記課題を解決するために、本考案のある態様のソケット／スイッチパネル照明装置は、少なくとも１つのスルーホールを設け、少なくとも一側または前記少なくとも１つのスルーホールに隣接するように光透過性部材を設置するパネルと、前記パネルまたは前記光透過性部材の下端に設置し、複数の発光体を設置すると共に前記光透過性部材に対応し、少なくとも一端には導電性構造を設置する基板と、前記パネル及び前記光透過性部材の下端に設置すると共に前記基板に被装し、少なくとも１つの締め穴を設けていると共に前記パネルの前記スルーホールに対応する固定台座と、を備え、これにより、前記基板の前記発光体を利用して前記パネルの前記光透過性部材を発光させている。
【００１０】
本考案の好適例において、前記基板の前記導電性構造はバネ、プランジャー、弾性片、導線、または外端部にＹ型端子を設けている前記導線である。
【００１１】
本考案の好適例において、前記固定台座には少なくとも１つの貫通孔を設けていると共に前記導電性構造の前記バネ、前記プランジャー、前記弾性片、または前記導線を挿着させている。
【００１２】
本考案の好適例において、前記基板には少なくとも１つの取付穴を設けている。
【００１３】
本考案の好適例において、前記パネルの下端には少なくとも１つのソケットまたは少なくとも１つのスイッチを設け、且つ前記パネルの前記スルーホール及び前記固定台座の前記締め穴に対応し、前記ソケットまたは前記スイッチの少なくとも一側或いは下方には少なくとも１つの下部導電性構造を設置していると共に前記基板の前記導電性構造に電気的に接続している。
【００１４】
本考案の好適例において、前記パネルの下端には少なくとも１つのソケットまたは少なくとも１つのスイッチを設け、且つ前記パネルの前記スルーホール、前記固定台座の前記締め穴、及び前記基板の前記取付穴に対応し、前記ソケットまたは前記スイッチの少なくとも一側または下方には少なくとも１つの下部導電性構造を設置していると共に前記基板の前記導電性構造に電気的に接続している。
【００１５】
本考案の好適例において、前記ソケットには少なくとも１つのＵＳＢまたはＷｉ−Ｆｉ（登録商標）を設置しているか、或いは少なくとも１つのＵＳＢ及びＷｉ−Ｆｉを設置している。
【００１６】
本考案の好適例において、前記ソケットまたは前記スイッチの前記下部導電性構造は弾性片または少なくとも１つのネジであるか、或いは前記弾性片及び前記少なくとも１つのネジまたは少なくとも１つの導電片である。
【００１７】
本考案の好適例において、前記下部導電性構造の前記弾性片及び前記導電片は前記導電性構造の前記バネ、前記プランジャー、前記弾性片、または前記導線に電気的に接続している。
【００１８】
本考案の好適例において、前記下部導電性構造の前記ネジは前記導電性構造の前記導線または前記導線の外端部の前記Ｙ型端子に電気的に接続している。
【考案の効果】
【００１９】
本考案には、次のような効果がある。
先行技術の効果と比較すると、前記パネルに光透過性部材を設置すると共に前記スルーホールを有し、且つ下端に前記基板及び前記固定台座を順に設置し、前記基板に前記発光体を設置すると共に少なくとも一端に前記導電性構造を有することで、前記基板の前記発光体が前記パネルの前記光透過性部材を発光させる。前記基板少なくとも一端の前記導電性構造により前記ソケットまたは前記スイッチの前記下部導電性構造に直接電気的に接続することで、利便性を向上させ、多用途で前記ソケットまたは前記スイッチの位置を明確に識別し指示可能にし、進歩性、実用性、及びユーザーの需要を満たし、明らかに利益が増す。
【００２０】
本明細書及び図面の記載により、少なくとも、以下の事項が明らかとなる。
【図面の簡単な説明】
【００２１】
【図１】本考案の一実施形態に係るソケット／スイッチパネル照明装置を説明する傾斜分解図である。
【図２】本考案の一実施形態に係るソケット／スイッチパネル照明装置を説明する傾斜組立図である。
【図３】本考案の一実施形態に係るソケット／スイッチパネル照明装置を説明する組立断面図である。
【図４】本考案の一実施形態に係るソケット／スイッチパネル照明装置がソケットを設置し、基板の発光体が発光する実施形態を説明する図である。
【図５】本考案の別の実施形態に係るソケット／スイッチパネル照明装置を説明する傾斜分解図である。
【図６】本考案のさらに別の実施形態に係るソケット／スイッチパネル照明装置を説明する組立断面図である。
【図７】本考案のなお別の実施形態に係るソケット／スイッチパネル照明装置を説明する傾斜分解図である。
【図８】本考案のさらに別の実施形態に係るソケット／スイッチパネル照明装置を説明する組立断面図である。
【図９】本考案のさらなる実施形態に係るソケット／スイッチパネル照明装置を説明する傾斜分解図である。
【図１０】本考案のさらにさらなる他の実施形態に係るソケット／スイッチパネル照明装置を説明する組立断面図である。
【図１１】本考案の図６にはソケットを設置し基板の発光体が発光する実施形態を説明する図である。
【図１２】本考案の図８にはソケットを設置し基板の発光体が発光する実施形態を説明する図である。
【図１３】本考案の図１０にはソケットを設置し基板の発光体が発光する実施形態を説明する図である。
【図１４】本考案の異なる形状基板の実施形態を例示する図（一）である。
【図１５】本考案の異なる形状基板の実施形態を例示する図（二）である。
【図１６】本考案の異なる形状基板の実施形態を例示する図（三）である。
【図１７】本考案のなおさらなる実施形態に係るソケット／スイッチパネル照明装置を説明する傾斜分解図である。
【図１８】本考案のさらなる他の実施形態に係るソケット／スイッチパネル照明装置を説明する組立断面図である。
【図１９】本考案の図１８にはソケットを設置し基板の発光体が発光する実施形態を説明する図である。
【考案を実施するための形態】
【００２２】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００２３】
まず、図１は本考案の一実施形態に係るソケット／スイッチパネル照明装置を説明する傾斜分解図である。図２は本考案の一実施形態に係るソケット／スイッチパネル照明装置を説明する傾斜組立図である。図３は本考案の一実施形態に係るソケット／スイッチパネル照明装置を説明する組立断面図である。図４は本考案の一実施形態に係るソケット／スイッチパネル照明装置がソケットを設置し、基板の発光体が発光する実施形態を説明する図である。図５は本考案の別の実施形態に係るソケット／スイッチパネル照明装置を説明する傾斜分解図である。図６は本考案のさらに別の実施形態に係るソケット／スイッチパネル照明装置を説明する組立断面図である。図７は本考案のなお別の実施形態に係るソケット／スイッチパネル照明装置を説明する傾斜分解図である。図８は本考案のさらに別の実施形態に係るソケット／スイッチパネル照明装置を説明する組立断面図である。図９は本考案のさらなる実施形態に係るソケット／スイッチパネル照明装置を説明する傾斜分解図である。図１０は本考案のさらにさらなる他の実施形態に係るソケット／スイッチパネル照明装置を説明する組立断面図である。図１１は本考案の図６にはソケットを設置し基板の発光体が発光する実施形態を説明する図である。図１２は本考案の図８にはソケットを設置し基板の発光体が発光する実施形態を説明する図である。図１３は本考案の図１０にはソケットを設置し基板の発光体が発光する実施形態を説明する図である。図１４は本考案の異なる形状基板の実施形態を例示する図（一）である。図１５は本考案の異なる形状基板の実施形態を例示する図（二）である。図１６は本考案の異なる形状基板の実施形態を例示する図（三）である。図１７は本考案のなおさらなる実施形態に係るソケット／スイッチパネル照明装置を説明する傾斜分解図である。図１８は本考案のさらなる他の実施形態に係るソケット／スイッチパネル照明装置を説明する組立断面図である。図１９は本考案の図１８にはソケットを設置し基板の発光体が発光する実施形態を説明する図である。
【００２４】
本考案のソケット／スイッチパネル照明装置は好ましい一実施例において、パネル１と、基板２と、固定台座３と、を備えている。
【００２５】
前述のパネル１には少なくとも１つのスルーホール１１を設け、前記パネル１の少なくとも一側または前記少なくとも１つのスルーホール１１に隣接するように光透過性部材１０を設置している。
【００２６】
前述の基板２は前記パネル１または前記光透過性部材１０の下端に設置し、前記基板２には複数の発光体２２を設置していると共に前記光透過性部材１０に対応している。本実施例の前記基板はＰＣＢ基板であるが、本考案はこれに制限されず、前記基板２の前記発光体２２は本実施例では発光ダイオード（ＬＥＤ）であるが、本考案はこれに限定されない。前記基板２の少なくとも一端には正極及び負極とすると共に前記発光体２２に接続している導電性構造２３を設置し、前記導電性構造２３はバネ２３１（図１、図２、図３参照）、プランジャー２３２（図５、図６参照）、弾性片２３３（図７、図８参照）、導線２３４、または外端部にＹ型端子２３４１を設けている前記導線２３４（図９、図１０参照）であるが、本考案はこれに制限されない。
本考案の前記基板２の形状は図１、図２、図３の実施例の中央部に少なくとも１つの取付穴２１を設けているが、本考案はこれに制限されず、一字形状を呈すると共に複数の前記発光体２２を設置するもの（図１４参照）、Ｌ字形状を呈すると共に複数の前記発光体２２を設置するもの（図１５参照）、一字形状を呈すると共に外部の複数の前記発光体２２に接続するもの（図１６乃至図１９参照）、或いは他の形状を呈するものでも全て本考案の保護範囲に含まれる。
【００２７】
前述の固定台座３は前記パネル１及び前記光透過性部材１０の下端に設置していると共に被装している。
【００２８】
前記基板２は、前記固定台座３に少なくとも１つの締め穴３１を設けていると共に前記パネル１の前記スルーホール１１に対応し、前記固定台座３には少なくとも１つの貫通孔３２を設けていると共に前記基板２の導電性構造２３の前記バネ２３１（図１、図２、図３参照）、前記プランジャー２３２（図５、図６参照）、前記弾性片２３３（図７、図８参照）、または前記導線２３４（図９、図１０参照）を挿着させているが、本考案はこれに限られない。前記基板２の前記発光体２２を利用して前記パネル１の前記光透過性部材１０を発光させている（後述の図４、図１１乃至図１３及び図１９参照）。
【００２９】
図４、図１１乃至図１３、図１９を参照すれば、本考案の前記パネル１の下端には少なくとも１つのソケット４（図４乃至図１３参照）または少なくとも１つのスイッチ（図示省略）を設け、且つ前記パネル１の前記スルーホール１１及び前記固定台座３の前記締め穴３１に対応している。前記ソケット４または前記スイッチの少なくとも一側或いは下方には少なくとも１つの下部導電性構造４１を設置していると共に前記基板２の前記導電性構造２３に電気的に接続している。前記ソケット４または前記スイッチには少なくとも１つのＵＳＢ（図示省略）を設けているが、本考案はこれに限られない。前記ソケット４にはＷｉ−Ｆｉ（図示省略）または少なくとも１つのＵＳＢ及びＷｉ−Ｆｉを設けている。前記ソケット４または前記スイッチの前記下部導電性構造４１は弾性片４１１または少なくとも１つのネジ４１２であるか、或いは前記弾性片４１１及び前記少なくとも１つのネジ４１２（図４、図１１乃至図１３参照）または少なくとも１つの導電片（図示省略）である。
前記下部導電性構造４１の前記弾性片４１１及び前記導電片は前記基板２の前記導電性構造２３の前記バネ２３１、前記プランジャー２３２、前記弾性片２３３、または前記導線２３４に電気的に接続している。前記下部導電性構造４１の前記ネジ４１２は前記基板２の前記導電性構造２３の前記導線２３４または前記導線２３４外端部の前記Ｙ型端子２３４１に電気的に接続している。
本考案は前記基板２の前記発光体２２を利用して前記パネル１の前記光透過性部材１０を発光させ、前記ソケット４或いはスイッチの位置を表示する以外、夜間照明や他の用途に使用してもよく、夜間にソケットやスイッチを見つけられるようにし、夜間に歩く際につまずいたり、事故が起こらないようにする（図４、図１１乃至図１３及び図１９参照）。
【００３０】
このように、本考案は前記パネル１に光透過性部材１０を設置すると共に前記スルーホール１１を有し、且つ下端に前記基板２及び前記固定台座３を順に設置し、前記基板２に前記発光体２２を設置すると共に少なくとも一端に前記導電性構造２３を有することで、前記基板２の前記発光体２２により前記パネル１の前記光透過性部材１０を発光させる。
前記基板２の少なくとも一端の前記導電性構造２３により前記ソケット４または前記スイッチの前記下部導電性構造４１に直接電気的に接続することで、利便性を向上し、多用途で、前記ソケット４または前記スイッチの位置を明確に識別し指示可能にし、進歩性、実用性、及びユーザーの需要を満たし、明らかに利益を増す。
【００３１】
上記説明は、本考案を説明するためのものであって、実用新案登録請求の範囲に記載の考案を限定し、或いは範囲を限縮するように解すべきではない。また、本考案の各部構成は、上記実施例に限らず、実用新案登録請求の範囲に記載の技術的範囲内で種々の変形が可能であることは勿論である。
【符号の説明】
【００３２】
１  パネル
１０  光透過性部材
１１  スルーホール
２  基板
２１  取付穴
２２  発光体
２３  導電性構造
２３１  バネ
２３２  プランジャー
２３３  弾性片
２３４  導線
２３４１  Ｙ型端子
３  固定台座
３１  締め穴
３２  貫通孔
４  ソケット
４１  下部導電性構造
４１１  弾性片
４１２  ネジ
【図１】
0003230619.tif 000003
【図２】
0003230619.tif 000004
【図３】
0003230619.tif 000005
【図４】
0003230619.tif 000006
【図５】
0003230619.tif 000007
【図６】
0003230619.tif 000008
【図７】
0003230619.tif 000009
【図８】
0003230619.tif 000010
【図９】
0003230619.tif 000011
【図１０】
0003230619.tif 000012
【図１１】
0003230619.tif 000013
【図１２】
0003230619.tif 000014
【図１３】
0003230619.tif 000015
【図１４】
0003230619.tif 000016
【図１５】
0003230619.tif 000017
【図１６】
0003230619.tif 000018
【図１７】
0003230619.tif 000019
【図１８】
0003230619.tif 000020
【図１９】
0003230619.tif 000021